(57)【要約】【課題】リハビリ具に親指を常時挿脱可能にし、健常側の手で該リハビリ具を操作することにより、動力を用いることなく患側の手の親指の自己リハビリを行う装置を提供すること。【解決手段】テーブル２に穿設した孔に掛止させた回転部材３をハンドル部５で回動操作可能とし、該ハンドル部５を健常側の手で回動動作することで動力不要とした。また、上部を開放することで患側の手の親指が常時挿脱可能とした親指アテ４を、前記回転部材３と前記ハンドル部５で狭着した装置。【選択図】図１
2014087436.tif 000002
【特許請求の範囲】
【請求項１】
テーブルに穿設した孔に掛止させた回転部材とハンドル部で親指アテを狭着し、該親指アテに患側の手の親指を挿入し、健常側の手で前記ハンドルを回動操作することにより動力不要とし、前記患側の手の親指の自己リハビリを可能とするように構成したことを特徴とした親指リハビリ具。
【請求項２】
前記親指アテの上部を開放することで、前記患側の手の親指が常時挿脱可能となるように構成したことを特徴とした請求項１に記載の親指リハビリ具。
【発明の詳細な説明】
【技術分野】
【０００１】
本発明は、脳梗塞等により片麻痺になった人が、自由に動かすことが出来る健常側の手でハンドル部を回動操作することで動力不要にし、自身の身体状況に合わせた手の親指の自己リハビリを可能とする親指リハビリ具に関するものである。
【背景技術】
【０００２】
脳梗塞等を患って片麻痺になると腕や手首及び手指が屈曲拘縮もしくは伸展拘縮する場合があった。
以降、屈曲拘縮及び伸展拘縮どちらも指す場合に関しては総称して「患側」と表記して説明する。また、屈曲拘縮もしくは伸展拘縮のどちらか一方に限定する内容の場合は「屈曲拘縮」及び「伸展拘縮」と分けて表記して説明する。
【０００３】
従来、患側の手指のリハビリを自身で直接行う場合には、健常側の手に係る負担が大きく日々のリハビリを自身で意欲的に行うことが困難なものと思われる。
なお、現状は療法士等による人の手に頼って行われる場合が多く、リハビリに費やす時間や経済的負担が大きかった。
【先行技術文献】
【特許文献】
【０００４】
【特許文献１】特開平１０−３３６０４号公報
【０００５】
この手指部用リハビリ用具は、患側の手指を手袋状の挿入固定部に入れ、電動式のエアーポンプを動力として風船状本体を膨張と収縮させることで該患側の手指の屈曲と伸展を繰り返すリハビリを行うことができ、併せて、手のひらのむれや臭気の発生等を防止することができるように構成している。
【０００６】
しかしながら、前記手袋状の挿入固定部に前記患側の手指を挿入するには、該患側の手指を人の手等によって伸展させ、且つ、指１本１本毎に仕切られた前記手袋状の挿入固定部に調整しながら挿入する作業が大変だと考えられる。
また、動力を用いているので誤作動を起こすと前記患側の手指は前記手袋状の挿入固定部から容易に外すことができないと考えられるため、思わぬ怪我等による身体的苦痛だけでなく、リハビリに向かう意欲を失う等の精神的苦痛を利用者に与えてしまう恐れがある。
【発明の概要】
【発明が解決しようとする課題】
【０００７】
本発明は、上述した問題点を解決するため、患側の手の親指を親指アテに常時挿脱可能にして健常側の手でハンドル部を回動操作することにより、動力を用いることなく患側の手の親指の屈曲と伸展を繰り返す自己リハビリを可能とする親指リハビリ具を提供することを課題としている。
【課題を解決するための手段】
【０００８】
請求項１の発明は、テーブルに穿設した孔に掛止させた回転部材とハンドル部で親指アテを狭着し、該親指アテに患側の手の親指を挿入し、健常側の手で前記ハンドル部を回動操作することにより動力不要とし、前記患側の手の親指の自己リハビリを可能とするように構成したことを特徴とした親指リハビリ具。
【０００９】
請求項２の発明は、前記親指アテの上部を開放することで、前記患側の手の親指が常時挿脱可能となるように構成したことを特徴とした請求項１に記載の親指リハビリ具。
【発明の効果】
【００１０】
本発明の親指リハビリ具は、テーブルに穿設した孔に掛止させた回転部材とハンドル部で上部を開放した親指アテを狭着し、該親指アテに患側の手の親指を挿入し、健常側の手で前記ハンドルを回動操作するように構成することで、前記患側の手の親指の屈曲と伸展を繰り返す自己リハビリを動力不要で可能とし、且つ、安価に提供することができる。
また、自身の健常側の手でハンドル部を操作することにより誤動作の心配も無く力加減を自身で決めて行うことができる。そして、患側の手の親指のリハビリ効果に加えて健常側の手の筋力低下防止の相乗効果も期待できる。
さらに、親指アテの上部を開放していることで、何かしらの異常が発生したときに自身で患側の手の親指を親指アテから上部に引き上げるだけで親指リハビリ具から容易に取り外すことができる。あるいは、親指リハビリ具が落下した時に該親指リハビリ具に巻き込まれること無く患側の手の親指が抜けるので安全に使用することができる。
【実施例】
【００１１】
以下、本発明の実施例について、図１から図８を参照して説明する。
本発明における親指リハビリ具１は、主としてテーブル２と回転部材３、親指アテ４、ハンドル部５から構成されている。図７及び図８に示すように、右手が患側で左手が健常側として構成を説明するが、実際に使用する際には患側に合わせて右手用及び左手用が準備される。
【００１２】
前記テーブル２について説明する。該テーブル２は、図２に示すように前記回転部材３が掛止するように孔２ａを穿設している。なお、利用者の身体状況は一人一人異なるので、該利用者が自己リハビリを実施し易い位置に前記孔２ａを穿設して、前記親指リハビリ具１を設置することが望ましい。また、前記テーブル２に脚部（図面省略）を付設することで、椅子（図面省略）に座った状態で使用可能である。さらに、車椅子（図面省略）の手すりに固定することで、車椅子に乗った状態で使用可能とすることもできる。
【００１３】
前記回転部材３について説明する。該回転部材３は、図３（ａ）及び（ｃ）に示すように前記孔２ａより径が大きい鍔部３ａと、前記孔２ａより径が小さい軸部３ｂを設けており、前記孔２ａに前記鍔部３ａを掛止することで、前記回転部材３を前記テーブル２上で回動自在としている。なお、該テーブル２の前記孔２ａの径と前記軸部３ｂの径の差を前記ハンドル部５の回動操作が重くならない程度に可能な限り小さくすることで、回動操作時の円滑な操作とガタつきを防止することが出来る。
そして、図３（ｂ）に示すように後述する前記親指アテ部４の袋部４ａが入る程度の幅に前記回転部材３を欠切して溝部３ｃを凹設している。なお、該溝部３ｃの形状は図３（ｃ）に示すように、正面断面視において前記回転部材３の略中心から左側は上面から下面に及ぶまで欠切し、略中心から右側は飛行機の後退翼のように右上方向が肉厚のテーパ状になるように切欠する。また、図３（ｂ）に示すように平面視において、患側の手の拇指球付近の形に沿うように略Ｌ字状を９０度反時計回りに回転させたように切欠している。
つぎに、前記回転部材３の上面と前記ハンドル部５で前記親指アテ４を挟み込みネジ９にて螺着固定するためのネジ孔３ｆ及び該ハンドル部５の回り止めピン７の挿入孔３ｇを穿設している。なお、ネジ孔３ｆ及び挿入孔３ｇを穿設する位置は、右手が患側の場合は図３（ａ）及び（ｂ）に示すように、後述する前記親指アテ部４の前記袋部４ａに右手の親指を挿入する位置より左側に穿設し、左手が患側の場合は左手の親指を挿入する位置より右側に穿設する。
【００１４】
前記親指アテ４について説明する。該親指アテ４は、図３（ｂ）及び図６に示すように略矩形状の角部２ヵ所を前記回転部材３に組み付けたときに該回転部材３の外周の円弧形状と整合するように裁断した布等の生地の略中央点４ｂを基準に山折りする。つぎに、前記生地の上辺４ｃと下辺４ｄ及び谷折り線で囲うと略台形状になる前記上辺４ｃの範囲を糸で縫合するなど開かないように固定する。さらに、後述する前記ハンドル部５を固定するために、該ハンドル部５を固定する側に前記ネジ９のネジ孔４ｅ及び前記回り止めピン７の挿入孔４ｆを穿設する。なお、前記親指アテ４にネジ孔４ｅ及び挿入孔４ｆを穿設する位置は、前述した前記回転部材３のネジ孔３ｆ及び挿入孔３ｇと同様に患側の手がどちらかによって穿設位置が決められる。
前記ハンドル部５を固定しない側については、前記親指アテ部４と前記回転部材３を固定する必要があるが固定方法についてここでは明記しない。なお、前記親指アテ４を分解することができるように、ネジによる螺着固定及び面ファスナーを使用した接合固定等が望ましい。つまり、手指が屈曲拘縮している場合にリハビリによる汗の汚れや手指のムレによる臭気を洗濯することで洗い落とすことができ、衛生状態を良好に保つことが出来るためである。
そして、前記親指アテ４を前記ハンドル部５と前記回転部材３で狭着して前記溝部３ｃの上に敷設すると、図３（ｂ）及び（ｃ）に示すように前記回転部材３の前記溝部３ｃ左上部分によって前記下辺４ｄが付勢されることにより、患側の手の親指を常時挿脱可能とした上面が開放された略三角錐状の前記袋部４ａを構成することができる。
【００１５】
前記ハンドル部５について説明する。該ハンドル部５は、図２に示すように支持プレート６に前記ネジ９の挿入孔６ａを穿設している。また、前記回り止めピン７及び取付ピン８を前記支持プレート６に固着している。さらに、グリップ１０を該取付ピン８に挿入している。
【００１６】
操作方法を説明する。まず、患側の手の親指を前記親指アテ４の前記袋部４ａに挿入し易い位置に前記回転部材３を回動させる。つぎに、図４に示すように手指が屈曲拘縮している場合には手指、特に親指を前記袋部４ａに挿入できる程度に広げて該袋部４ａに挿入する。また、伸展拘縮している場合には伸展した親指をそのまま前記袋部４ａに挿入すれば良い。さらに、図７に示すように健常側の手で前記グリップ１０を握持して前記ハンドル部を時計回りに回転させることにより、前記親指アテ４を介して前記回転部材３の欠切した面３ｄで前記患側の手の親指の手の甲側第一関節から第二関節付近を押勢させることで該患側の手の親指を屈曲させることが可能となる。また、図８に示すように健常側の手で該グリップ１０を把持して前記ハンドル部を反時計回りに回転させることにより、前記親指アテ４を介して前記回転部材３の欠切した端面３ｅで前記患側の手の親指の手のひら側第一関節から第二関節付近を押勢させることで該患側の手の親指を伸展させることが可能となる。
つまり、前記ハンドル部を自身の健常側の手で回動操作し、前記患側の手の親指の屈曲と伸展を繰り返す自己リハビリが可能となる。
【図面の簡単な説明】
【００１７】
【図１】本発明に係る親指リハビリ具の斜視図
【図２】親指リハビリ具の分解斜視図
【図３】回転部材の（ａ）斜視図及び回転部材と親指アテを組み合わせた（ｂ）平面図（ｃ）正面Ａ−Ａ断面図
【図４】親指アテに患側の手の親指を挿入した状態を表す部分Ａ−Ａ断面図
【図５】親指アテの（ａ）平面図（ｂ）背面図
【図６】親指アテの平面視に於いての展開図
【図７】患側の手の親指の屈曲操作を示す作用説明図
【図８】患側の手の親指の伸展操作を示す作用説明図
【符号の説明】
【００１８】
１    親指リハビリ具１
２    テーブル２
３    回転部材３
４    親指アテ４
５    ハンドル部５
１１  健常側の手
１２  患側の手
１３  患側の手の親指
【図１】
2014087436.tif 000003
【図２】
2014087436.tif 000004
【図３】
2014087436.tif 000005
【図４】
2014087436.tif 000006
【図５】
2014087436.tif 000007
【図６】
2014087436.tif 000008
【図７】
2014087436.tif 000009
【図８】
2014087436.tif 000010